(57)【要約】【課題】回転式電子部品の構成に加えて他の種類の電子部品の構成も備えたコンパクトな多機能型電子部品を提供する。【解決手段】回転つまみ２０と、回転つまみ２０の下部に設置され回転つまみ２０の内周突出部２４を回動自在に挿入する開口部４２を有するケース４０と、ケース４０の開口部４２の下部に設置され回転つまみ２０と一体に回転する回転つまみ取付板１６と、回転つまみ２０の開口部２２内に設置され下面に押圧部１２を設けてなる押釦つまみ１０と、ケース４０の下部に設置され回転つまみ２０の回転によって電気的出力を変化する電気的機能部５５と、回転つまみ２０を揺動することで下降する回転つまみ２０の下方に設置されて押圧操作される押圧スイッチ７８と、押釦つまみ１０の押圧部１２によって押圧操作される中央スイッチ８０とを具備する。押圧部１２は回転つまみ取付板１６の開口部１６ａを挿通してその先端が中央スイッチ８０に対向する。【選択図】図１
2010219062.tif 000002
【特許請求の範囲】
【請求項１】
中央に開口部を有する回転つまみと、
前記回転つまみの下部に設置され、この回転つまみの下面の開口部の周囲から突出して設けられる内周突出部を回動自在に挿入する開口部を有するケースと、
前記ケースの開口部の下部に設置され、この開口部を通して前記回転つまみに取り付けられてこの回転つまみと一体に回転する回転つまみ取付板と、
前記回転つまみの開口部内に設置され下面に押圧部を設けてなる押釦つまみと、
前記ケースの下部に設置され、前記回転つまみの回転とともに回転する摺動子及びこの摺動子が摺接することで電気的出力を変化する摺接パターンを有する電気的機能部と、
前記回転つまみを揺動することで下降する回転つまみの下方に設置されて押圧操作される押圧スイッチと、
前記押釦つまみの押圧部によって押圧操作される中央スイッチと、を具備し、
前記押釦つまみの押圧部は前記回転つまみ取付板に設けた開口部を挿通してその先端が前記中央スイッチに対向していることを特徴とする多機能型電子部品。
【請求項２】
請求項１に記載の多機能型電子部品において、
前記回転つまみ取付板は平板であり、その外径寸法を前記ケースの開口部の内径寸法よりも大きく形成し、
前記ケースの開口部に回動自在に挿入した前記回転つまみの内周突出部の下端に前記回転つまみ取付板を取り付けたことを特徴とする多機能型電子部品。
【請求項３】
請求項２に記載の多機能型電子部品において、
前記回転つまみの内周突出部の下端から小突起を突設し、この小突起を回転つまみ取付板の前記開口部の外側に形成した取付固定部に挿入して小突起の先端をかしめることで、回転つまみに回転つまみ取付板を取り付けたことを特徴とする多機能型電子部品。
【請求項４】
請求項３に記載の多機能型電子部品において、
前記押圧スイッチと前記中央スイッチは同一の回路基板上に配置され、且つ前記押圧スイッチは前記中央スイッチの外側の同一円周上の複数の位置に形成され、
さらに前記回路基板は平板状の支持部材上に載置されていることを特徴とする多機能型電子部品。
【請求項５】
請求項４に記載の多機能型電子部品において、
前記押釦つまみには回り止め係合部が設けられていることを特徴とする多機能型電子部品。
【発明の詳細な説明】
【技術分野】
【０００１】
本発明は、回転式電子部品の構成の外に他の電子部品の構成を一体に備えた多機能型電子部品に関するものである。
【背景技術】
【０００２】
車載用ナビゲーションシステム、コンピュータ、各種携帯機器、各種ＯＡ機器、ゲーム機などを操作するデバイスとして多機能型電子部品がある。この多機能型電子部品には、回転つまみと該回転つまみの回転により電気的出力が変化する電気的機能部とによる回転式電子部品の構成の他に、押圧式電子部品等の構成を一体に備えたものがある。このような多機能型電子部品は、回転つまみを回転させることで電気的機能部の電気的出力の変化によって所定の操作内容を選択し、押圧式電子部品の押圧操作でこの選択した操作内容を確定するなどして用いられる。
【０００３】
しかしながら、電子機器の小型化・多機能化のため、操作デバイスのさらなる高集積化が要求されており、各種機能の電子部品をさらにコンパクトに一体化して設ける構造の多機能型電子部品が要望されている。
【先行技術文献】
【特許文献】
【０００４】
【特許文献１】特開２００１−１８４９６７号公報
【発明の概要】
【発明が解決しようとする課題】
【０００５】
本発明は上述の点に鑑みてなされたものでありその目的は、回転式電子部品の構成に加えてさらに他の種類の電子部品の構成も備えてこれらをコンパクトに一体化することが可能な多機能型電子部品を提供することにある。
【課題を解決するための手段】
【０００６】
上記課題を解決するため本願の請求項１に記載の発明は、中央に開口部を有する回転つまみと、前記回転つまみの下部に設置され、この回転つまみの下面の開口部の周囲から突出して設けられる内周突出部を回動自在に挿入する開口部を有するケースと、前記ケースの開口部の下部に設置され、この開口部を通して前記回転つまみに取り付けられてこの回転つまみと一体に回転する回転つまみ取付板と、前記回転つまみの開口部内に設置され下面に押圧部を設けてなる押釦つまみと、前記ケースの下部に設置され、前記回転つまみの回転とともに回転する摺動子及びこの摺動子が摺接することで電気的出力を変化する摺接パターンを有する電気的機能部と、前記回転つまみを揺動することで下降する回転つまみの下方に設置されて押圧操作される押圧スイッチと、前記押釦つまみの押圧部によって押圧操作される中央スイッチと、を具備し、前記押釦つまみの押圧部は前記回転つまみ取付板に設けた開口部を挿通してその先端が前記中央スイッチに対向していることを特徴とする多機能型電子部品にある。
【０００７】
本願の請求項２に記載の発明は、請求項１に記載の多機能型電子部品において、前記回転つまみ取付板は平板であり、その外径寸法を前記ケースの開口部の内径寸法よりも大きく形成し、前記ケースの開口部に回動自在に挿入した前記回転つまみの内周突出部の下端に前記回転つまみ取付板を取り付けたことを特徴とする多機能型電子部品にある。
【０００８】
本願の請求項３に記載の発明は、請求項２に記載の多機能型電子部品において、前記回転つまみの内周突出部の下端から小突起を突設し、この小突起を回転つまみ取付板の前記開口部の外側に形成した取付固定部に挿入して小突起の先端をかしめることで、回転つまみに回転つまみ取付板を取り付けたことを特徴とする多機能型電子部品にある。
【０００９】
本願の請求項４に記載の発明は、請求項３に記載の多機能型電子部品において、前記押圧スイッチと前記中央スイッチは同一の回路基板上に配置され、且つ前記押圧スイッチは前記中央スイッチの外側の同一円周上の複数の位置に形成され、さらに前記回路基板は平板状の支持部材上に載置されていることを特徴とする多機能型電子部品にある。
【００１０】
本願の請求項５に記載の発明は、請求項４に記載の多機能型電子部品において、前記押釦つまみには回り止め係合部が設けられていることを特徴とする多機能型電子部品にある。
【発明の効果】
【００１１】
本願の請求項１に記載の発明によれば、回転式電子部品の構成と揺動式電子部品の構成とを兼ね備えた多機能型電子部品をコンパクトに構成することができる。さらに本願の請求項１に記載の発明によれば、押釦つまみと中央スイッチとを備えたことで、多機能型電子部品の機能をさらに多くすることができる。また押釦つまみを回転つまみの中央に設けた開口部内に設置しているので、多機能型電子部品の外径寸法を大きくせずに押釦つまみを設置することが可能となる。
【００１２】
本願の請求項４に記載の発明によれば、中央スイッチと押圧スイッチを同一平面内に配置するので、多機能型電子部品の構造が簡単になってその薄型化を図ることができる。
【図面の簡単な説明】
【００１３】
【図１】本発明の一実施形態にかかる多機能型電子部品の側断面図である。
【図２】多機能型電子部品の上段側の構成部品を上側から見た分解斜視図である。
【図３】多機能型電子部品の下段側の構成部品を上側から見た分解斜視図である。
【図４】多機能型電子部品の上段側の構成部品を下側から見た分解斜視図である。
【図５】多機能型電子部品の下段側の構成部品を下側から見た分解斜視図である。
【発明を実施するための形態】
【００１４】
以下、本発明の実施形態を図面に基づいて詳細に説明する。図１は本発明の一実施形態にかかる多機能型電子部品１の概略側断面図であり、図２はこの多機能型電子部品１の上段側の構成部品を上側から見た分解斜視図で、図３は下段側の構成部品を上側から見た分解斜視図である。また、図４はこの多機能型電子部品１の上段側の構成部品を下側から見た分解斜視図で、図５は下段側の構成部品を下側から見た分解斜視図である。これらの図に示すように多機能型電子部品１は、押釦つまみ１０と、回転つまみ２０と、板ばね３５と、ケース４０と、回転体（以下「摺動型物」という。）６０と、摺動子６６と、第１回路基板部（第１の回路基板）７１と第２回路基板部（第２の回路基板）７３を備えたフレキシブル回路基板７０と、取付台９０と、支持部材１００とを具備して構成されている。以下各構成部品について順に説明する。
【００１５】
押釦つまみ１０は成形樹脂製であり、略円板状の本体部１１と、該本体部１１の下面中央から下方向に延びる円柱軸状の押圧部１２とを具備し、本体部１１の上面が指などで押圧操作する操作部１３になっていて、本体部１１の外周側面にはつば部１４が形成されている。また、押圧部１２の側面には軸方向に沿う溝状に形成された回り止め係合部１２ａが設けられている。
【００１６】
回転つまみ２０は成形樹脂製であり、略円板状の本体部２１の中央に円形の開口部２２を有し、本体部２１の上面の開口部２２の周囲には指などで回転操作する操作部２３が設けられている。開口部２２は、内部に押釦つまみ１０の本体部１１を設置できるように本体部１１の外径寸法よりも若干大きな内径寸法であって、且つ本体部１１に設けたつば部１４が上方に抜け出ないようにつば部１４の外径寸法よりも若干小さい内径寸法に形成されている。一方、本体部２１の下面の外周には下方に突出する円筒状の外周突出部２７が形成され、下面の開口部２２の周囲には外周突出部２７よりも小さな突出寸法で下方に突出する円筒状の内周突出部２４が形成されている。内周突出部２４の下端の複数の位置（本実施形態では４箇所の位置）には、この回転つまみ２０に板ばね３５を固定する円柱状の小突起からなる板ばね固定部２５が設けられている。さらに内周突出部２４の下端の板ばね固定部２５の間の複数の位置（本実施形態では１８０°対向する２箇所の位置）には、この回転つまみ２０に摺動型物６０を取り付ける摺動型物取付部２６が設けられている。摺動型物取付部２６は、内周突出部２４の下端面に設置した断面が略扇形の基部２６ａと、該基部２６ａの下端面から下方に向かって延びる円柱状の軸部２６ｂとを備えて構成されている。
【００１７】
ケース４０は成形樹脂製であり、円形平板状の上面部４１を備え、該上面部４１の中央に回転つまみ２０の内周突出部２４をその内部に配置する円形の開口部４２を有している。また上面部４１の外周の下面には下方に突出する円筒状の突出部４３が形成され、この突出部４３の下端面の複数の位置（本実施形態では等間隔（９０°間隔）の４箇所の位置）には、下記する取付台９０を固定する円柱軸状の取付台固定部４５を設けている。また上面部４１の下面の突出部４３と開口部４２の間には、下記する板ばね３５のクリック弾接部３９を弾接係合させる凹凸を所定間隔で環状に配置してなるクリック係合部４７が形成されている。
【００１８】
またスペーサ部材１５は、回転つまみ２０の本体部２１の下面とケース４０の上面部４１の上面との間に設置して回転つまみ２０の回転時のケース４０に対する回転摺動性を良好にするための部材である。スペーサ部材１５はＡＢＳなどの摺動性に優れた成形樹脂製の薄板状部材で、ケース４０の上面部４１の外形と略一致する円形の外形を有し、中央には回転つまみ２０の内周突出部２４を挿通させる円形の開口部１５ａが形成されている。
【００１９】
回転つまみ取付板１６は金属製又は成形樹脂製の硬質平板であり、その外形が円形でケース４０の開口部４２の内径よりも若干大きな外径寸法を有し、中央に押釦つまみ１０の押圧部１２を挿通させる円形の開口部１６ａが設けられ、開口部１６ａの両外側の１８０°を隔てて対向する２箇所の位置には、回転つまみ２０の摺動型物取付部２６の基部２６ａを挿通させる扇形の貫通孔からなる挿通部１６ｂが形成され、開口部１６ａの外側の４箇所の位置には、回転つまみ２０の板ばね固定部２５を固定する貫通孔からなる取付固定部１６ｃが形成されている。
【００２０】
板ばね３５は、弾性金属板を円形に形成した本体部３６と、該本体部３６の外周を囲む位置に設置された一対の半円弧状のアーム部３７，３７とを一体に形成している。本体部３６は回転つまみ取付板１６と略同一の外径寸法を有し、中央に開口部１６ａと同形の開口部３６ａを設けると共に、挿通部１６ｂに対応する位置には扇形の貫通孔からなる挿通部３６ｂが形成され、取付固定部１６ｃに対応する位置には円形の貫通孔からなる取付固定部３６ｃが形成されている。本体部の挿通部３６ｂ，３６ｂの両外側の外周部には、外方に突出して両アーム部３７，３７の根元部分に連結する一対の連結部３８，３８が設けられ、両アーム部３７，３７がこれら連結部３８，３８からそれぞれ本体部の外周に沿って円周方向に延伸して半円弧形状に形成され、両アーム部３７，３７の中間部付近には板ばね３５の上面側に突出する突起状のクリック弾接部３９，３９が形成されている。
【００２１】
摺動型物６０は成形樹脂製であり、円形平板状に形成されてその中央に下記する取付台９０の筒状突出部９３を挿通させる円形の開口部６１を設けている。開口部６１は、その内周面が筒状突出部９３の外周面に摺接することで摺動型物６０の回転がガイドされるように、内径寸法が筒状突出部９３の外径寸法とほぼ同一かそれよりも僅かに大きな寸法に形成されている。一方、回転つまみ２０の摺動型物取付部２６に対応する２箇所の位置には貫通孔からなる挿入部６２を設け、回転つまみ２０の板ばね固定部２５に対応する４箇所の位置には、板ばね３５の下面に突出する板ばね固定部２５の先端部を収納配置する収納凹部６３が形成されている。一方、摺動型物６０の下面の開口部６１の周囲には下方に突出する円筒状の突出部６４が形成されており、突出部６４の周囲には、下記する摺動子６６を設置する凹部状の摺動子設置部６９が形成され、この摺動子設置部６９の底面の同一円周上の等間隔（１２０°間隔）の３箇所の位置には、小突起状の摺動子固定部６５が設けられている。
【００２２】
摺動子６６は弾性金属板製であり、摺動型物６０よりも若干小さな外径寸法を有する略円形の平板状に形成され、中央に円形の開口部６６ａを設けると共に、開口部６６ａの外周の等間隔（１２０°間隔）の３箇所の位置には、摺動子固定部６５を固定する貫通穴からなる取付固定部６６ｂが設けられている。そして各取付固定部６６ｂの側部から３本の摺接ブラシ６７ａ，６７ｂ，６７ｃを備えた摺動接点６７が突出して摺動子６６の円周方向に沿って延伸し、その先端が隣接する取付固定部６６ｂの近傍まで達している。各組の摺接ブラシ６７ａ，６７ｂ，６７ｃはそれらの根元部分が摺動子６６の下面側に向かって若干折り曲げられていると共に、各摺接ブラシ６７ａ，６７ｂ，６７ｃの先端近傍には、摺動子６６の下面側に突出する突起状の接点部６８が形成されている。なお、各摺動接点６７が備える３本の摺接ブラシ６７ａ，６７ｂ，６７ｃのうち、外側の１本の摺接ブラシ６７ａが下記する摺接パターン７５のコモンパターン７６に摺接し、内側の２本の摺接ブラシ６７ｂ，６７ｃが接点パターン７７（７７ａ，７７ｂ）に摺接するようになっている。
【００２３】
フレキシブル回路基板７０は可撓性を有する合成樹脂フイルム製で、下記する摺接パターン７５が形成された第１回路基板部（第１の回路基板）７１と、第１回路基板部７１の外周から突出する連結アーム７２と、連結アーム７２の先方に接続されて下記する押圧スイッチ７８と中央スイッチ８０が形成された第２回路基板部（第２の回路基板）７３とを一体に備えている。第１回路基板部７１は略円形の外形を有し、中央に下記する取付台９０の筒状突出部９３を挿通する円形の開口部７４を設け、下面７１ｂの開口部７４の周囲に銀などの導電ペーストを印刷形成してなる摺接パターン７５が設けられている。摺接パターン７５は、一本の円弧状のコモンパターン７６と、該コモンパターン７６の内側に同一円周上で開口部７４の両側に分割配置された二本の櫛歯状の接点パターン７７（７７ａ，７７ｂ）とで構成されている。上記したようにコモンパターン７６には摺接ブラシ６７ａが摺接し、接点パターン７７には摺接ブラシ６７ｂ，６７ｃが摺接する。なお接点パターン７７ａの櫛歯状部分と接点パターン７７ｂの櫛歯状部分は、互いの位置が１２０°間隔よりも若干ずれた位置になるように形成されている。また、この第１回路基板部７１のケース４０の取付台固定部４５に対応する４箇所の位置には、貫通穴からなる挿通部７９が形成されている。
【００２４】
そして第１回路基板部７１の外周から突出する連結アーム７２は帯状で、その先端に第２回路基板部７３が接続されている。第２回路基板部７３は、第１回路基板部７１よりも若干大きい寸法の略円形の外形を有し、その上面７３ａ（第１回路基板部７１の摺接パターン７５を設けた下面７１ｂとは反対側の面）の中央に中央スイッチ８０が設置されている。中央スイッチ８０は、上面７３ａに銀などの導電ペーストを印刷形成してなる接点パターン８０ａと、該接点パターン８０ａ上に取り付けられた弾性金属板をドーム形状に形成してなる反転板（可動接点板）８０ｂ（図１参照）とを備えている。
【００２５】
またこの第２回路基板部７３の上面７３ａの中央スイッチ８０の外側の複数の位置（本実施形態では同一円周上の等間隔（９０°間隔）の４箇所の位置）に押圧スイッチ７８が形成されている。各押圧スイッチ７８はいずれも中央スイッチ８０と同様の構成であり、第２回路基板部７３の上面７３ａに形成した接点パターン７８ａと、接点パターン７８ａ上に取り付けられた反転板（可動接点板）７８ｂ（図１参照）とを備えている。なお、上記摺接パターン７５や接点パターン７８ａ，８０ａはフレキシブル基板７０上に設けた図示しない回路パターンと接続され、複数の回路パターンが第２回路基板部７３の外周から引き出されているリードアウト部８２に集約されている。
【００２６】
取付台９０は成形樹脂製の略円形の硬質平板であり、回転つまみ２０とほぼ同一の外径寸法を備え、中央には押釦つまみ１０の押圧部１２を挿通させる略円形の開口部９１を設け、上面９０ａの開口部９１の周囲には上方に向かって突出する円筒状の突起からなる筒状突出部９３が形成されている。筒状突出部９３の内側面には、押釦つまみ１０の押圧部１２の回り止め係合部１２ａに係合する軸方向に伸びる突起からなる回り止め９３ａが形成されている。一方、開口部９１の外側のケース４０の取付台固定部４５に対応する複数の位置（本実施形態では４箇所の位置）には、貫通孔からなる取付固定部９２を設け、外周部の所定位置（本実施形態では各取付固定部９２の外側の４箇所の位置）には、外方に向かって舌片状に突出する係合片９４が形成されている。各係合片９４の両側面には小突起状の係止部９４ａが形成されている。一方、下面９０ｂの各取付固定部９２の間の所定位置（本実施形態では互いに等間隔（９０°間隔）の４箇所の位置（各取付固定部９２と４５°を隔てた位置））には、下方に向かって突出する円柱状の突起からなる押圧部９５が形成されている。
【００２７】
支持部材１００は金属製の硬質平板であり、その外形が取付台９０とほぼ同一寸法を有する略円形に形成されている。そして取付台９０の各係合片９４に対応する外周部の複数の位置（本実施形態では等間隔（９０°間隔）の４箇所の位置）には、外周部から上方に向かって折り曲げられてほぼ垂直に立設された舌片状の係合片取付部１０１が設けられている。各係合片取付部１０１には、係合片９４の先端部を挿入させて係合片９４を取り付けるための矩形状の開口からなる係合片挿入部１０１ａが形成されている。
【００２８】
次にこの多機能型電子部品１の組み立て方法を説明する。まず、回転つまみ２０の開口部２２内に下側から押釦つまみ１０の本体部１１を挿入し、操作部１３を開口部２２から回転つまみ２０の上面側に露出させた状態で設置する。そしてケース４０の上面部４１の上面と回転つまみ２０の本体部２１の下面との間にスペーサ部材１５を介在させて、ケース４０の開口部４２内に上側から回転つまみ２０の内周突出部２４を挿入することで、ケース４０の上部に回転つまみ２０を載置する。そして回転つまみ２０の内周突出部２４の下端面に回転つまみ取付板１６と板ばね３５とをこの順に取り付けて固定する。この際、押釦つまみ１０の押圧部１２を回転つまみ取付板１６の開口部１６ａと板ばね３５の開口部３６ａとに挿通させる。また、回転つまみ２０の摺動型物取付部２６を回転つまみ取付板１６の挿通部１６ｂと板ばね３５の挿通部３６ｂとに挿通すると共に、板ばね固定部２５を回転つまみ取付板１６の取付固定部１６ｃと板ばね３５の取付固定部３６ｃとに挿通して、板ばね３５の下面側に突出する板ばね固定部２５の先端を熱カシメして固定する。
【００２９】
一方で、摺動型物６０の摺動子固定部６５を摺動子６６の取付固定部６６ｂに挿通させて、摺動子６６の下面側に突出する摺動子固定部６５の先端を熱カシメすることで、摺動型物６０の摺動子設置部６９内に摺動子６６を取り付ける。そしてこの摺動子６６を取り付けた摺動型物６０を、板ばね３５の下面側に設置する。この際、押釦つまみ１０の押圧部１２を摺動型物６０の開口部６１に挿通させると共に、挿通部３６ｂから板ばね３５の下面側に突出する摺動型物取付部２６の軸部２６ｂを摺動型物６０の挿入部６２に挿入する。なおここでは摺動型物取付部２６の軸部２６ｂを摺動型物６０の挿入部６２に挿入するだけで、摺動型物取付部２６の熱カシメは行っていないが、取付固定部６２に挿通した軸部２６ｂの先端を摺動型物６０の下面側に突出させてこの先端を熱カシメすることで固定してもよい。その場合は、熱カシメをした後で上記の摺動型物６０への摺動子６６の取り付けを行うようにする。
【００３０】
一方で、フレキシブル回路基板７０の第１回路基板部７１をその下面７１ｂを上に向けた状態で、開口部７４に取付台９０の筒状突出部９３を挿通して、該第１回路基板部７１を取付台９０の上面９０ａに載置する。そしてこの取付台９０の上部に前記のケース４０を設置する。この際、押釦つまみ１０の押圧部１２をその回り止め係合部１２ａを回り止め９３ａに係合させて筒状突出部９３の内部（開口部９１内）に挿通することで、摺動型物６０の開口部６１の内周と押圧部１２の外周との間に筒状突出部９３を挿入配置し、押圧部１２の下端を取付台９０の下面側に突出させる。その状態でケース４０の取付台固定部４５を、第１回路基板部７１の挿通部７９と取付台９０の取付固定部９２とに挿通し、取付台９０の下面側に突出する取付台固定部４５の先端を熱カシメすることで、取付台９０の上面９０ａに第１回路基板部７１を介在させてケース４０を一体に固定する。これによりケース４０の上部に設置した回転つまみ２０と、ケース４０の下部に設置した板ばね３５及び摺動型物６０とが、ケース４０の上下で該ケース４０に対して一体に回転自在に設置される。またこのとき板ばね３５のクリック弾接部３９がケース４０のクリック係合部４７に弾接係合した状態になり、摺動型物６０に取り付けた摺動子６６の摺動接点６７が、第１回路基板部７１上の摺接パターン７５に当接した状態になる。
【００３１】
さらにそこからフレキシブル回路基板７０の連結アーム７２を下方に折り返すことで、第２回路基板部７３をその上面７３ａを上に向けた状態で取付台９０の下側に配置し、この第２回路基板部７３の下面７３ｂ側に、支持部材１００を重ねて設置する。その際、取付台９０の各係合片９４の係止部９４ａより先端側の部分を支持部材１００の各係合片取付部１０１の係合片挿入部１０１ａ内に挿入してスナップイン係合によって取り付ける。これにより、取付台９０の各押圧部９５が対応する押圧スイッチ７８の反転板７８ｂ上に載置され、この状態で各係合片９４が各係合片挿入部１０１ａの内周上面に当接することで、取付台９０が支持部材１００によって揺動自在に支持された状態になる。以上により多機能型電子部品１の組み立てが完了する。
【００３２】
このようにして組み立てられた多機能型電子部品１は、図１に示すように、ケース４０と、ケース４０の上部に設置した回転つまみ２０と、回転つまみ２０の中央に設けた開口部２２内に設置した押釦つまみ１０と、ケース４０の下部に設置した回転つまみ２０と一体に回転する摺動型物６０と、取付台９０上に設置した第１回路基板部７１に設けた摺接パターン７５と摺動型物６０に取り付けた摺動子６６の摺接接点６７とで構成される電気的機能部５５と、ケース４０を載置している取付台９０と、取付台９０の下側に設置されて取付台９０を揺動自在に支持する支持部材１００とを備えている。また支持部材１００上に設置した第２回路基板部７３上の押釦つまみ１０に設けた押圧部１２に対向する位置に配置された中央スイッチ８０と、第２回路基板部７３上の取付台９０の下面９０ｂに設けた押圧部９５に対向する位置に配置された押圧スイッチ７８とを備えている。
【００３３】
次にこの多機能型電子部品１の動作を説明する。まず回転つまみ２０の操作部２３を指などで操作して回転させることで、板ばね３５及び摺動型物６０が回転つまみ２０と一体に回転する。これにより板ばね３５のクリック弾接部３９がケース４０のクリック係合部４７に弾接係合してクリック感覚が生じると共に、摺動型物６０に取り付けた摺動子６６の摺動接点６７が摺接パターン７５上を摺接し、摺接パターン７５の電気的出力が変化する。この際、３組の摺動接点６７（図８参照）のうちの何れかの組の摺動接点６７の外側の摺接ブラシ６７ａが常にコモンパターン７６（図９参照）に摺接する一方、内側の摺接ブラシ６７ｂ，６７ｃが接点パターン７７ａ，７７ｂ（図９参照）に摺接してこれをオンオフするが、上記したように両接点パターン７７ａ，７７ｂの櫛歯状部は１２０°の間隔よりも若干ずれた位置に設けられているので、いずれかの摺動接点６７が何れか一方の接点パターン７７ａ又は７７ｂに摺接してこれをオンするタイミングと、他の摺動接点６７が他方の接点パターン７７ｂ又は７７ａに摺接してこれをオンするタイミングの位相が少しずれるので、両接点パターン７７ａ，７７ｂから出力されるオンオフ信号の位相が若干ずれるようになっている。これにより、例えば摺動子６６が左右いずれの向きに回転しているかを検出できるようになっている。
【００３４】
一方、押釦つまみ１０の操作部１３を押圧操作することで、押釦つまみ１０が下降してその押圧部１２が中央スイッチ８０の反転板８０ｂを押圧して反転させ、中央スイッチ８０がオンする。押釦つまみ１０への押圧を解除すれば反転板８０ｂの復帰力で中央スイッチ８０がオフする。また一方で、回転つまみ２０の操作部２３の取付台９０の４箇所の押圧部９５のうちのいずれかに対応する部分を押圧操作すると、ケース４０や摺動型物６０や押釦つまみ１０など取付台９０上に設置されている各構成部品が取付台９０と一体に押圧された方向に傾いて揺動し、下降した側の押圧部９５が対向する押圧スイッチ７８の反転板７８ｂを押圧して反転させて、押圧スイッチ７８をオンする。回転つまみ２０を揺動させている力を解除すれば、反転板７８ｂの復帰力で回転つまみ２０及び取付台９０上の各構成部品が一体に元の位置に自動復帰して、押圧スイッチ７８がオフする。
【００３５】
この多機能型電子部品１は、携帯型端末装置等に設置して用いる場合には、一例として回転つまみ２０の回転操作によって所定の操作内容を順に携帯型端末装置の表示部に表示させ、回転つまみ２０を揺動させる操作でこの表示させた操作内容のうちのいずれかを選択し、さらに押釦つまみ１０を押圧する操作でこの選択した操作内容を確定するなどして用いることができる。
【００３６】
上記構成の多機能型電子部品１は、ケース４０と、ケース４０の上部に設置した回転つまみ２０と、ケース４０の下部に設置した回転つまみ２０と一体に回転する摺動型物６０と、該摺動型物６０の回転によってその電気的出力が変化する電気的機能部５５と、ケース４０を載置する取付台９０と、該取付台９０の下側に設置されて該取付台９０を揺動自在に支持する支持部材１００と、取付台９０の揺動によって押圧される押圧スイッチ７８とを備えたので、回転式電子部品の構成と揺動式電子部品の構成とを兼ね備えた多機能型電子部品１をコンパクトに構成することができる。また回転つまみ２０や摺動型物６０を取り付けたケース４０を、押圧スイッチ７８を押圧する揺動自在に設置された取付台９０上に載置していることで、回転つまみ２０を回転させて電気的機能部５５の電気的出力を変化させる操作と、回転つまみ２０を介して取付台９０を揺動させて押圧スイッチ７８を押圧する操作の両方を連動してスムーズに行うことができるので、多機能型電子部品１の操作性を向上させることができる。
【００３７】
またこの多機能型電子部品１は、取付台９０上に設置した第１回路基板部７１を備え、該第１回路基板部７１上に設けた摺接パターン７５と、摺動型物６０の下面に取り付けられて摺接パターン７５上を摺接する摺動子６６とで電気的機能部５５を構成しているので、電気的機能部５５を取付台９０の上部のケース４０の下側にコンパクトに配置することができ、多機能型電子部品１の小型化、薄型化を図ることができる。
【００３８】
またこの多機能型電子部品１では、回転つまみ２０の中央に設けた開口部２２内に押釦つまみ１０を設置すると共に、押釦つまみ１０によって押圧される中央スイッチ８０を備えたので、回転つまみ２０だけを備えている場合よりも多機能型電子部品１の機能をさらに多くすることができる。また押釦つまみ１０を回転つまみ２０の中央に設けた開口部２２内に設置しているので、多機能型電子部品１の外径寸法を大きくせずに押釦つまみ１０を設置することが可能となる。
【００３９】
さらにこの多機能型電子部品１では、支持部材１００上に設置した第２回路基板部７３を備え、該第２回路基板部７３上の押釦つまみ１０に設けた押圧部１２に対向する位置に中央スイッチ８０を配置し、該第２回路基板部７３上の取付台９０の下面に設けた押圧部９５に対向する位置に押圧スイッチ７８を配置しているので、中央スイッチ８０と押圧スイッチ７８を取付台９０の下側の同一平面内に収まるように配置することができるので、多機能型電子部品１の構造が簡単になってその薄型化を図ることができる。
【００４０】
さらにこの多機能型電子部品１では、第１回路基板部７１と第２回路基板部７３とを連結アーム７２を介して一体に連結されたフレキシブル回路基板７０とすることで、摺接パターン７５と押圧スイッチ７８及び中央スイッチ８０を同一のフレキシブル回路基板７０上に設けているので、多機能型電子部品１の部品点数を少なくすることができる。また摺接パターン７５を第１回路基板部７１上に設置し、中央スイッチ８０を第２回路基板部７３上に設置していることで、摺接パターン７５と同一平面内の摺接パターン７５の内側位置に中央スイッチ８０を設ける必要がなく、その分摺接パターン７５の外径寸法を小型化でき、多機能型電子部品１の外形寸法の小型化を図ることができる。
【００４１】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記各実施形態では、多機能型電子部品１に押釦つまみ１０と中央スイッチ８０を設置した場合を説明したが、これら押釦つまみ１０と中央スイッチ８０は必ずしも設ける必要はなく、これらを省略して多機能型電子部品１を構成することも可能である。
【００４２】
また上記実施形態では、第１回路基板部７１と第２回路基板部７３は、連結アーム７２を介して一体に連結されたフレキシブル回路基板７０である場合を説明したが、これ以外にも第１回路基板部７１と第２回路基板部７３をそれぞれ別個の回路基板として構成してもよい。その場合の第１回路基板部７１と第２回路基板部７３は、少なくともそのいずれかを硬質回路基板で構成することもできる。
【００４３】
また上記実施形態では、摺動型物６０に取り付けた摺動子６６と取付台９０上に設置した第１回路基板部７１上の摺接パターン７５とで電気的機能部５５を構成しているが、電気的機能部５５としては、回転つまみ２０の回転によりその電気的出力が変化する構成であれば他の構成を採用してもよい。即ち、図示は省略するが例えば上記実施形態とは逆に摺動型物６０側に摺接パターンを設け、取付台９０側に摺動子を設置することも可能である。
【００４４】
また上記実施形態では、フレキシブル回路基板７０上に形成した中央スイッチ８０や押圧スイッチ７８などの各スイッチを、１枚の合成樹脂フイルムに形成した接点パターン上に反転板を取り付けることで構成しているが、これらのスイッチは二枚の合成樹脂フイルムを重ね合わせて両合成樹脂フイルムに設けた一対の接点パターンを隙間を介して対向させ、一方の合成樹脂フイルムに設けた接点パターンの裏面側に反転板を設置することで構成されるスイッチ（メンブレンスイッチ）としても良い。
【符号の説明】
【００４５】
１  多機能型電子部品
１０  押釦つまみ
１２  押圧部
１６  回転つまみ取付板
２０  回転つまみ
２４  内周突出部
３５  板ばね
４０  ケース
５５  電気的機能部
６０  摺動型物（回転体）
６６  摺動子（電気的機能部）
６７  摺動接点（電気的機能部）
７０  フレキシブル回路基板
７１  第１回路基板部（第１の回路基板）
７２  連結アーム
７３  第２回路基板部（第２の回路基板）
７５  摺接パターン（電気的機能部）
７８  押圧スイッチ
８０  中央スイッチ
９０  取付台
９５  押圧部
１００  支持部材
【図１】
2010219062.tif 000003
【図２】
2010219062.tif 000004
【図３】
2010219062.tif 000005
【図４】
2010219062.tif 000006
【図５】
2010219062.tif 000007